(57)【要約】      （修正有）【課題】第１ベッド、及び第２ベッドの長尺状の横枠板を分割することで、コンパクト化した商品配送を可能とし、しかも強度を損なうことのない二段ベッドを提供する。【解決手段】第１ベッドの上側に配置される第２ベッドとからなる二段ベッドであって、第１ベッドは、第１床板と、第１ベッド支柱と、第１ベッド横枠板および第１ベッド縦枠板とから構成されており、第２ベッドは、第２床板と、第２ベッド支柱と、第２ベッド横枠板および第２ベッド縦枠板とから構成されており、第１ベッド横枠板と第１床板、および第２ベッド横枠板と第２床板は、その長手方向中央部で分割されるとともに、金属材で構成されたブラケットで連結されており、第２ベッドの横枠板の分割部は、第１ベッドと第２ベッドを連結して昇降可能とした梯子部材に設けられた支持部で支持されていることを特徴とする二段ベッドを構成した。【選択図】図１
2019136459.tif 000002
【特許請求の範囲】
【請求項１】
第１ベッドと、該第１ベッドの上側に配置される第２ベッドとからなる二段ベッドであって、前記第１ベッドは、四角状の第１床板と、該第１床板の四隅にそれぞれ設けられる第１ベッド支柱と、前記第１床板の周囲に設けられる第１ベッド横枠板および第１ベッド縦枠板とから構成されており、前記第２ベッドは、四角状の第２床板と、該第２床板の四隅にそれぞれ設けられる第２ベッド支柱と、前記第２床板の周囲に設けられる第２ベッド横枠板および第２ベッド縦枠板とから構成されており、前記第１ベッド横枠板と第１床板、および前記第２ベッド横枠板と第２床板は、それぞれその長手方向中央部で分割されるとともに、該分割部は、金属材で構成されたブラケットで連結されており、前記第２ベッド横枠板の分割部は、前記第１ベッドと前記第２ベッドを連結して昇降可能とした梯子部材に設けられた支持部で支持されていることを特徴とする二段ベッド。
【請求項２】
前記第１ベッドの第１床板の下面の分割部には、前記第１ベッドと前記第２ベッドを分離した際に前記第２ベッドの第２床板の分割部に取り付ける補助支柱が取り付けられていることを特徴とする請求項１記載の二段ベッド。
【請求項３】
前記梯子部材は、左右の柱部材と該柱部材をつなぐ踏み板とから構成され、該踏み板には補強材が連結されている事を特徴とする請求事項１又は２記載の二段ベッド。
【発明の詳細な説明】
【技術分野】
【０００１】  本発明は、二段ベッドに関し、詳細には下側の第１ベッドと、その上側に位置する第２ベッドとを備えた二段ベッド態様と、この第１ベッドと第２ベッドを分離してそれぞれ単独で使用することが可能な分割態様とができる二段ベッドに関するものである。
【背景技術】
【０００２】  二段ベッドは、一般的に下側の第１ベッドと、その上側の第２ベッドと、この第１ベッドと第２ベッドとを連結して使用者が昇降する梯子部材とで構成されており、それぞれのベッドには、横枠板と縦枠板とが設けられて、使用者の転落を防止するように構成されている。（例えば特許文献１参照）この横枠板は、強度的な観点から長尺状の一枚ものの板が使われている。このような長尺状の板の場合は、取り回しが難しく、また配送時に小さくまとめることができないためコストアップとなるという問題があった。
【先行技術文献】
【特許文献】
【特許文献１】特開２００５−１８５６８７号公報
【発明の概要】
【発明が解決しようとする課題】
【０００３】  本発明は、前述の状況に鑑みて第１ベッド、及び第２ベッドの長尺状の横枠板を分割することで、コンパクト化した商品配送を可能とし、しかも強度を損なうことのない二段ベッドを提供する点にある。
【課題を解決するための手段】
【０００４】  本発明は、前述の課題解決のために、第１ベッドと、該第１ベッドの上側に配置される第２ベッドとからなる二段ベッドであって、前記第１ベッドは、四角状の第１床板と、該第１床板の四隅にそれぞれ設けられる第１ベッド支柱と、前記第１床板の周囲に設けられる第１ベッド横枠板および第１ベッド縦枠板とから構成されており、前記第２ベッドは、四角状の第２床板と、該第２床板の四隅にそれぞれ設けられる第２ベッド支柱と、前記第２床板の周囲に設けられる第２ベッド横枠板および第２ベッド縦枠板とから構成されており、前記第１ベッド横枠板と第１床板、および前記第２ベッド横枠板と第２床板は、それぞれその長手方向中央部で分割されるとともに、該分割部は、金属材で構成されたブラケットで連結されており、前記第２ベッドの横枠板の分割部は、前記第１ベッドと前記第２ベッドを連結して昇降可能とした梯子部材に設けられた支持部で支持されていることを特徴とする二段ベッドを構成した。【０００５】  また、前記第１ベッドの第１床板の下面には、第１ベッドと第２ベッドを分離した際に前記第２ベッドの第２床板の分割部に取り付ける補助支柱が取り付けられていることも好ましい。【０００６】  さらに、前記梯子部材は、左右の柱部材と該柱部材をつなぐ踏み板とから構成され、前記踏み板には補強材が連結されているのも好ましい。
【発明の効果】
【０００７】  以上にしてなる請求項１に係る発明の二段ベッドは、第１ベッド横枠板と第１床板、および第２ベッド横枠板と第２床板は、その長手方向中央部で分割されるとともに、分割部は、金属材で構成されたブラケットで連結されており、通常長尺状の一枚ものの板が用いられている横枠板に短尺状のものを使用することができるので、材料のコストダウンを実現でき、さらに配送面でも取り回しが楽になるので配送コストも軽減できる。また、第２ベッド横枠板の分割部は、第１ベッドと第２ベッドを連結して昇降可能とした梯子部材に設けられた支持部で支持されており、二段ベッドの強度を向上させる構造であるので、安心して使用することができる。【０００８】  請求項２によれば、第１ベッドの第１床板の下面の分割部には、第１ベッドと第２ベッドを分離した際に第２ベッドの第２床板の分割部に取り付ける補助支柱が取り付けられており、分離して一段ベッドとして使用する時は、第１ベッドから取り外し、第２ベッドの第２床板の分割部下側に取り付け、第１ベッドおよび第２ベッドそれぞれの分割部の耐荷重を向上する構造となっているので、安全に使用することができる。【０００９】  また、請求項２によれば、第１ベッド支柱と、第２ベッド支柱は、連結部材でそれぞれ分離可能に構成されているので、外観が同一の２台の一段ベッド態様として使用することができる組替え二段ベッドとなっている。つまり、二段ベッド態様は、第１ベッドの居住スペースを十分に確保できる構造になっているが、一段ベッド態様として使用するときは、第１ベッドの高さの高い前記第１ベッド支柱と、高さの低い第２ベッドの前記第２ベッド支柱の片方づつを選び、組み替えることができる構造である。この場合、２台の一段ベッドは外観がまったく同一となる。また一段ベッド様態の時は、第２ベッドに取り付けてある柵は取り外して使用する構造となっている。【００１０】  請求項３によれば、梯子部材は、左右の柱部材と該柱部材をつなぐ踏み板とから構成され、該踏み板には補強材が連結されており、全体の強度を向上させる構造となっている。
【図面の簡単な説明】
【００１１】
【図１】本発明の二段ベッドの全体斜視図を示す。
【図２】本発明の二段ベッド分離時の斜視図を示す。
【図３】一段ベッドに組み替えた時の斜視図を示し、（ａ）は第１ベッド、（ｂ）は第２ベッドをそれぞれ示す。
【図４】［図４（ａ）］は第１ベッドの補助支柱の斜視図、［図４（ｂ）］は第２ベッドの補助支柱の斜視図を示す。
【図５】梯子部材の斜視図を示す。
【図６】［図６（ａ）］は［図５］のＡ−Ａ断面図、［図６（ｂ）］は［図５］のＢ−Ｂ断面図を示す。
【発明を実施するための形態】
【００１２】  本発明の実施例について図面に基づいて説明する。本発明の二段ベッドは、図１に示すように、第１ベッドＩと、該第１ベッドＩの上側に配置される第２ベッドＩＩとから構成されている。そして、この第１ベッドＩは、複数の板材２２（図５参照）が並べられて、全体として四角状の第１床板１と、該第１床板１の四隅にそれぞれ立設された４本の第１ベッド支柱５ａ、５ｂ、５ｃ、５ｄと、前記した第１床板１の周囲に設けられ、前記した４本の第１ベッド支柱５ａ、５ｂ、５ｃ、５ｄに締結部材（ボルト）によって固定された第１ベッド横枠板７、および第１ベッド縦枠板９とを備えている。
【００１３】  前記した第１ベッドＩにおいては、図２に示すように、前記第１ベッド横枠板７と、前記第１床板１とがその長手方向の中央部で分割されている。そして、この分割された前記第１ベッド横枠板７ａ、７ｂとは、金属材（例えばスチール材）で構成された断面Ｌ字状の第１ブラケット１１によって連結されている。この該第１ブラケット１１によって前記第１ベッド横枠板７の強度を確保している。なお、第１ブラケット１１は締結部材（ボルト）で第１ベッド７ａ、７ｂに固定されている。
【００１４】  また、図４（ａ）に示すように、分割された第１床板１ａ、１ｂは、その下面側に長尺状の第１床板補強材３が第１床板１ａ、１ｂ両方を連結するように固定されている。そして、この該第１床板補強材３には縦方向に２つの第１補助支柱２０ａ、２０ｂが締結部材（ボルト）によって取り付けられている。さらにこの該第１補助支柱２０ａ、２０ｂの内側には、後述する第２ベッドＩＩを分離して第２ベッド単体で使用する際に使用する２つの第２補助支柱２１ａ、２１ｂが離脱可能に締結部材（ボルト）によって取り付けられている。
【００１５】  一方、第２ベッドＩＩも第１ベッドＩと同様に複数の板材２２（図５参照）が並べられて、全体として四角状の第２床板２と、該第２床板２の四隅にそれぞれ立設された４本の第２ベッド支柱６ａ、６ｂ、６ｃ、６ｄと、前記した第２床板２の周囲に設けられ、前記した４本の第２ベッド支柱６ａ、６ｂ、６ｃ、６ｄに締結部材（ボルト）によって固定された第２ベッド横枠板８および第２ベッド縦枠板１０とを備えている。
【００１６】  また、第２ベッドは第１ベッドの上側に配置されるので、安全性を考慮し横枠板と平行かつ上部の横方向に第２ベッド柵１３が取り付けてある。この該第２ベッド柵１３は片方を第２ベッド支柱６ａ、６ｂ、６ｃ、６ｄと締結部材（ボルト）で取り付けられており、さらに片方を梯子支柱部材１４ａ、１４ｂに締結部材（ボルト）で取り付けられ、４箇所に備えている。
【００１７】  前記した第２ベッドＩＩにおいては、図２に示すように、前記第２ベッド横枠板８と、前記第２床板２とがその長手方向の中央部で分割されている。そして、この分割された前記第２ベッド横枠板８ａ、８ｂとは、金属材（例えばスチール材）で構成された断面Ｌ字状の第２ブラケット１２によって連結されている。この該第２ブラケット１２によって前記第２ベッド横枠板８の強度を確保している。なお、第２ブラケット１２は締結部材（ボルト）で第２ベッド８ａ、８ｂに固定されている。
【００１８】  本発明においては、第１ベッドＩの第１ベッド支柱５の高さは、第２ベッドＩＩの第２ベッド支柱６の高さよりも高く構成されている。それは二段ベッド態様で使用する時は、第１ベッドＩの居住スペースを十分に確保するためである。
【００１９】  また、図４（ｂ）に示すように、分割された第２床板２ａ、２ｂは、その下面側に長尺状の第２床板補強材４が第２床板２ａ、２ｂ両方を連結するように固定されている。そして、該第２床板補強材４には、前述した第２補助支柱２１ａ、２１ｂを取り付けるため、取り付け部（ねじ穴）が設けられている。
【００２０】  前記した第１ベッドＩと、第２ベッドＩＩには、図５に示すように、該第２ベッドＩＩに昇るための梯子部材ＩＩＩが取り付けられている。該梯子部材ＩＩＩは、木材で構成されており、左右の梯子支柱部材１４ａ、１４ｂと、この該梯子支柱部材１４ａ、１４ｂとの間に設けられる複数の踏み板１５ａ、１５ｂ、１５ｃ、１５ｄとで構成されている。そして、図６に示すように、この左右の梯子支柱部材１４ａ、１４ｂは、上側にＬ字状に切り欠かれて前記左右の梯子支柱部材１４ａ、１４ｂで挟んだ状態で前記した第２ベッド横枠板８ａ、８ｂを下側から支えて支持する支持部１７ａ、１７ｂが形成されている。
【００２１】  また、前記左右の梯子支柱１４ａ、１４ｂの下側には逆Ｌ字状に切り欠かれた切欠部１７ｃ、１７ｄが形成されており、この切欠部１７ｃ、１７ｄが第１ベッド横枠板７ａ、７ｂの形状に合わせて固定されている。
なお、前記支持部１７ａ、１７ｂは、前記した第２ベッド横枠板８ａ、８ｂとさらに、前記第２ブラケット１２の両方を支持する構成としてもよい。この場合は分割部の強度がさらに向上する。また、前記支持部１７ａ、１７ｂは前記した第２ブラケット１２のみを支持する構成としてもよい。
【００２２】  一方、図６に示すように、前記した踏み板１５には木材で成形された平板状の補強材１６が取り付けられている。この補強材１６は、踏み板１５のベッド側の端部と、左右の梯子支柱部材１４ａ、１４ｂに固定されていて、踏み板１５と補強材１６とでＬ字状に形成されている。この補強材１６を設けることによって梯子部材ＩＩＩの強度が向上し、さらには、この強度を備えた梯子部材ＩＩＩで第１ベッドＩと第２ベッドＩＩを連結するため、二段ベッド全体の強度も向上するようになる。
【００２３】  図２、図３に示すように、前記した第１ベッドＩと、第２ベッドＩＩは、それぞれ単体で使用可能とするために、分離可能とされている。この両者を分離可能とするために、４本の第１ベッド支柱５ａ、５ｂ、５ｃ、５ｄの上端面および、４本の第２ベッド支柱６ａ、６ｂ、６ｃ、６ｄの下端面には、連結部材１８が挿入可能な連結孔１９が形成されている。そして、この連結孔１９に前記連結部材１８（金属ダボ）を差込み、第１ベッド支柱５と第２ベッド支柱６とを固定する。
【００２４】  前述した二段ベッドにおいて、第１ベッドＩと、第２ベッドＩＩとを分離してそれぞれ単体として使用する一段ベッド態様とする場合について説明する。
【００２５】  二段ベッド態様では、第１ベッドＩの居住スペースを十分に確保できる構造になっているが、一段ベッド態様として使用する時は、第１ベッドＩの第１ベッド支柱５ａ、５ｂ、５ｃ、５ｄと第２ベッドＩＩの第２ベッド支柱６ａ、６ｂ、６ｃ、６ｄの長さが異なっている為、第１ベッドＩと第２ベッドＩＩの外観形状を同じとする為に図３に示すように、第１ベッドＩは第１ベッド支柱５ｃ、５ｄを残し、第１ベッド支柱５ａ、５ｂを取り外して、この取り外した所に第２ベッド支柱６ｃ、６ｄを取り付けることで第１ベッドが完成する。
【００２６】  一方第２ベッドＩＩは第２ベッド支柱６ａ、６ｂを残し、第２ベッド支柱６ｃ、６ｄを取り外して、この取り外した所に第１ベッド支柱５ａ、５ｂを取り付けることで第２ベッドＩＩが完成する。
【００２７】  この時、図４に示すように、第２床板２に取り付ける第２ベッド補助支柱２１ａ、２１ｂは、第１床板１の分割部下側に固定されている第１床板補強材３に取り付けられている前記第２ベッド補助支柱２１ａ、２１ｂを取り外し、第２床板２ａ、２ｂに固定されている第２床板補強材４に締結部材（ボルト）で取り付けて使用する。
【００２８】  ここで、２台の一段ベッドは同一外観となり、２台のベッドを並べて使用しても違和感なく使用できる。また一段ベッド様態の時は、第２ベッドＩＩに取り付けてある第２ベッド柵１３は取り外して使用する構造となっている。
【００２９】  上記した実施例では、第１ベッド支柱５ａ，５ｂと第２ベッド支柱６ｃ，６ｄのそれぞれの支柱を組み替えているが、組み替えをせずに、図２に示すように、２段ベッド態様の第１ベッドと第２ベッドを分離し、そのまま一段ベッドとして使用することも可能である。
【００３０】  この場合、第２ベッド補助支柱２１ａ、２１ｂを第１床板補強材３から取り外し、第２床板２ａ、２ｂに固定されている第２床板補強材４に取り付け、一段ベッドを構成する。この時、２台の一段ベッドはそれぞれの支柱の高さが異なり同一外観にはならないが、組み替えた時と同様に、強度は確保されている。なお、この場合も第２ベッドＩＩに取り付けてある第２ベッド柵１３は取り外して使用する構造となっている。
【符号の説明】
【００３１】  Ｉ      第１ベッド
Ｉ      第２ベッド
ＩＩＩ  梯子部材
１      第１床板  １ａ、１ｂ
２      第２床板  ２ａ、２ｂ
５      第１ベッド支柱  ５ａ、５ｂ、５ｃ、５ｄ
６      第２ベッド支柱  ６ａ、６ｂ、６ｃ、６ｄ
７      第１ベッド横枠板  ７ａ、７ｂ
８      第２ベッド横枠板  ８ａ、８ｂ
９      第１ベッド縦枠板
１０    第２ベッド縦枠板
１１    第１ブラケット
１２    第２ブラケット
１４    梯子支柱部材  １４ａ、１４ｂ
１６    梯子補強材
１７    梯子支持部  １７ａ、１７ｂ、１７ｃ、１７ｄ
２０    第１ベッド補助支柱  ２０ａ、２０ｂ
２１    第２ベッド補助支柱  ２１ａ、２１ｂ
【図１】
2019136459.tif 000003
【図２】
2019136459.tif 000004
【図３】
2019136459.tif 000005
【図４】
2019136459.tif 000006
【図５】
2019136459.tif 000007
【図６】
2019136459.tif 000008